(57)【要約】  呼吸用部品及び着用可能なベルトを含む呼吸用部品システムが開示される。呼吸用部品が突起を含み、着用可能なベルトに呼吸用部品を着脱自在に固定するために、着用可能なベルトはその突起を受け入れるように構成されている。【選択図】  図２
2015511153.tif 000002
【特許請求の範囲】
【請求項１】
接合面を有した電動ファン付き呼吸用保護具（ＰＡＰＲ）部品であり、前記接合面が前記接合面から外側に延びる第１の突起を含むＰＡＰＲ部品と、
前記ＰＡＰＲ部品を支持するために着用可能なベルトであり、前記ベルトの長さに沿った長手方向軸と、堅固な取付要素及び堅固な保持要素を含む接合部とを有したベルトと、を備え、
前記堅固な取付要素は、前記ベルトの一部に固定されるとともに前記ＰＡＰＲ部品を前記ベルトに着脱自在に固定するために前記第１の突起を受け入れるように構成され、前記堅固な保持要素は、前記ベルトがユーザに固定されたときに前記ベルトの前記長手方向軸回りにおける前記接合部のたわみを防止する、呼吸用部品アセンブリ。
【請求項２】
前記第１の突起が前記ＰＡＰＲ部品の接合面と一体に形成されている、請求項１に記載の呼吸用部品アセンブリ。
【請求項３】
前記堅固な取付要素が前記堅固な保持要素とは別々に形成されている、請求項１に記載の呼吸用部品アセンブリ。
【請求項４】
前記堅固な取付要素及び前記堅固な保持要素が一体的な部品を形成している、請求項１に記載の呼吸用部品アセンブリ。
【請求項５】
前記堅固な保持要素が前記ベルトの前記接合部の下側周辺端部に隣接している、請求項１に記載の呼吸用部品アセンブリ。
【請求項６】
前記ベルトの前記接合部が内層及び外層を更に含んでおり、前記堅固な取付要素及び前記堅固な保持要素が前記内層及び前記外層に接触している、請求項１に記載の呼吸用部品アセンブリ。
【請求項７】
前記接合面が前記接合面から外側に延びる第２の突起を更に含む、請求項１に記載の呼吸用部品アセンブリ。
【請求項８】
前記接合面が第３及び第４の突起を更に含み、前記４つの突起が矩形配置で前記接合面上に間隔を開けて配置される、請求項７に記載の呼吸用部品アセンブリ。
【請求項９】
前記第１の突起がＴ字状の突起を含む、請求項１に記載の呼吸用部品アセンブリ。
【請求項１０】
前記第１の突起が、前記接合面から外側の方向に延びる第１の部分、及び前記接合面と平行な方向に延びるとともに前記接合面から間隔を開けて配置された第２部分を含む、請求項１に記載の呼吸用部品アセンブリ。
【請求項１１】
前記堅固な取付要素が前記第１の突起を受け入れるＴ字状の開口を規定する、請求項１０に記載の呼吸用部品アセンブリ。
【請求項１２】
前記堅固な取付要素が、前記第１の突起の前記第２の部分を受け入れるべく寸法決めされた開口、及び前記第１の突起の前記第１の部分を受け入れるべく寸法決めされたスロットを含む、請求項１０に記載の呼吸用部品アセンブリ。
【請求項１３】
前記突起は、前記呼吸用部品が前記ベルトに着脱自在に固定されたときに前記堅固な取付要素の露出面と相互作用する接触面を含む、請求項１に記載の呼吸用部品アセンブリ。
【請求項１４】
前記堅固な取付要素及び前記堅固な保持要素が高密度ポリエチレンから作製される、請求項１に記載の呼吸用部品アセンブリ。
【請求項１５】
前記ＰＡＰＲ部品の前記接合面は、前記ベルトがユーザに固定されたときに前記ＰＡＰＲ部品の前記ベルトからの意図しない分離を防止する保持突起を含む、請求項１に記載の呼吸用部品アセンブリ。
【請求項１６】
前記ＰＡＰＲ部品の前記接合面が前記接合面から外側に延びる保持突起を更に含み、前記ベルトがユーザに固定されたときに、前記保持突起が前記ベルトの接合部の端部に接触して前記ＰＡＰＲ部品の前記ベルトに対する上方への移動を防止する、請求項１に記載の呼吸用部品アセンブリ。
【請求項１７】
前記ＰＡＰＲ部品の前記接合面が前記ベルトの端部の握持を容易にする窪みを更に含んでいる、請求項１に記載の呼吸用部品アセンブリ。
【請求項１８】
前記堅固な取付要素がユーザの垂直軸に対して角度が付けられたスロットを規定する、請求項１に記載の呼吸用部品アセンブリ。
【請求項１９】
前記堅固な取付要素は段差を具備した自由端を有するカンチレバーを含み、前記ベルトがユーザに固定されたときに前記段差は前記第１の突起の一部に接触して、前記ベルトがユーザ上に固定されたときに、前記ＰＡＰＲ部品の前記ベルトに対する上方への移動を防止する、請求項１に記載の呼吸用部品アセンブリ。
【請求項２０】
接合面を有している送気型呼吸用部品であり、前記接合面が前記接合面から外側に延びる第１の突起を含んでいる送気型呼吸用部品と、
前記送気型呼吸部品を支持するために着用可能なベルトであり、前記ベルトの長さに沿った長手方向軸と、堅固な取付要素及び堅固な保持要素を含む接合部とを有したベルトと、を備え、
前記堅固な取付要素は、前記ベルトの一部に固定されるとともに、前記送気型呼吸用部品を前記ベルトに着脱自在に固定するために前記第１の突起を受け入れるように構成され、前記ベルトが前記ユーザに固定されたときに、前記堅固な保持要素は前記ベルトの前記接合部の下側周辺端部に沿って配置されて、前記ベルトの前記長手方向軸の回りの前記接合部のたわみを防止する、呼吸用部品アセンブリ。
【請求項２１】
前記ベルトの前記接合部が内層及び外層を更に含み、前記堅固な取付要素及び前記堅固な保持要素が、前記内層及び前記外層に接触して配置される、請求項２０に記載の呼吸用部品アセンブリ。
【請求項２２】
フィルタ、ファンを駆動するモータ及び前記モータに電気的に接続された電池を含むとともに、接合面を有する電動ファン付き呼吸用保護具（ＰＡＰＲ）部品であって、前記接合面が前記接合面から外側に延びる第１の突起を含んでいる、ＰＡＰＲ部品と、
前記ＰＡＰＲ部品を支持するために着用可能なベルトであり、前記ベルトの長さに沿った長手方向軸と堅固な取付要素及び堅固な保持要素を含む接合部とを有しているベルトと、
ユーザが呼吸できる空気領域を定める面体と、
前記ＰＡＰＲ部品と前記面体との間の流体接続をもたらすホースと、を備え、
前記堅固な取付要素は、前記ベルトの一部に固定されるとともに前記ＰＡＰＲ部品を前記ベルトに着脱自在に固定するために前記第１の突起を受け入れるように構成され、前記ベルトが前記ユーザに固定されたときに、前記堅固な保持要素は前記ベルトの前記長手方向軸の回りの前記接合部のたわみを防止する、呼吸用部品アセンブリ。
【発明の詳細な説明】
【技術分野】
【０００１】
本発明は、呼吸用部品を支持する構造を有する腰ベルト、特に呼吸用部品を支持する堅固な取付要素を有する腰ベルトに関する。
【背景技術】
【０００２】
一般に電動ファン付き呼吸用保護具（ＰＡＰＲ）と呼ばれるファン強制型陽圧呼吸装置及び他の呼吸用部品が、経気道曝露を管理するために、ファーストレスポンダーや軍隊及び他の緊急対応ユニットにより使用されている。これらの及び他の呼吸用部品もまた、ガス、蒸気及び粒子状物質に対する曝露を管理するために様々な工業用途において、使用されている。呼吸システムには、濾過空気のための入口を有すると共にユーザが呼吸できる空気の領域を規定する呼吸用マスク又は他の適切なフード、ヘルメット又はハードトップを含めることができる。そのようなシステムは、呼吸できる空気の領域に絶えず正圧を供給するために使用される。
【０００３】
呼吸システムの部品、特にＰＡＰＲの部品は、呼吸部品ハウジングのスロットに通されたねじ付きベルトに接続されてきた。ユーザは、呼吸部品を支持するベルトを彼らの腰に装着しており、通常は荷重がベルトの後部にある。呼吸用部品を持ち運ぶことに加えて、ユーザはまた、フードや呼吸システムの他の部品といった付加的な装置を着用しあるいは持ち運ぶが、それらもまたベルトに接続され得る。
【０００４】
呼吸システムの部品は、その部品が使用の間にベルトから意図せずに分離するようにならないように、通常はベルトに対してしっかりと接続されていなければならない。加えて接続機構は、呼吸用部品のベルトへの及びベルトからの着脱の容易さを促進しなければならない。
【０００５】
呼吸システム及びその部品は、呼吸用部品をベルトに固定するためのあらゆる関連した接続機構を含めたそれらの部品に対する汚染を生じさせる、有害な環境に曝露され得る。汚染された装置を捨てることは高コストであり、したがって呼吸部品は使用した後にその都度汚染を除去できるようにすることができる。
【０００６】
腰に装着されたベルトに接続される呼吸システム部品を含む呼吸システムを提供する、様々なデザインが提唱されてきた。
【０００７】
例えば、米国特許第７，８１９，１２０号（Ｔａｙｌｏｒら）は、ベルト、呼吸用部品、及び呼吸用部品をベルトに取り付けるための取付クリップを含む呼吸用部品取付アセンブリを記載している。ベルト及び呼吸用部品は間隔を開けて配置された少なくとも２つのクリップ開口をそれぞれ有しており、取付クリップは中間部分と間隔を開けて配置された２つの自由端と、を有している。ベルトと呼吸用部品を一体に固定するために、取付クリップの中間部分はベルトのクリップ開口の両方に受け入れられ、取付クリップの自由端は第２の呼吸部品のクリップ開口に受け入れられる。
【発明の概要】
【課題を解決するための手段】
【０００８】
用語
本発明に関して、以下の用語は以下に述べるように規定される。
「及び／又は」は、「及び」、「又は」、そして「及び」と「又は」の組み合わせを意味する。
【０００９】
「隣接して」は隣接してはいるが必ずしも接触していることを意味しない。
【００１０】
「ＰＡＰＲ」は電動ファン付き呼吸用保護具を意味する。
【００１１】
「一部」はより大きなものの一部を意味する。
【００１２】
「一体的に形成され」は一体的な部品として形成されることを意味する。
【００１３】
「堅固な取付要素」は、呼吸用部品の対応する形体を着脱自在に固定するように構成された堅固な構造を意味する。
【００１４】
「堅固な保持要素」は、ベルトの接合部のベルト長手方向軸回りにおけるたわみを防止する剛性構造を意味する。
【００１５】
「ユーザの垂直軸」は、ユーザの身長に沿った、ユーザが直立位置にあるときに重力方向に位置合わせされる軸を意味する。
【００１６】
本発明は、接合面を有するＰＡＰＲ部品であって、その接合面が接合面から外側に延びる第１の突起を有しているＰＡＰＲ部品と、ＰＡＰＲ部品を支持するために着用可能なベルトであり、ベルトの長さに沿った長手方向軸と、ベルトの一部に固定された堅固な取付要素及び堅固な保持要素を含む接合部と、を有しているベルトと、を含む呼吸用部品アセンブリを提供する。堅固な取付要素は、ベルトの一部に固定されるとともに、ＰＡＰＲ部品をベルトに着脱自在に固定するために第１の突起を受け入れるように構成され、ベルトがユーザに固定されたときに、堅固な保持要素は、ベルトの長手方向軸の回りの接合部のたわみを防止する。第１の突起はＰＡＰＲ部品の接合面と一体に形成され得るとともに、堅固な取付要素は堅固な保持要素と別々に形成できる。例示的な一実施形態において、堅固な保持要素は、ベルトの接合部の下側周辺端部に隣接する。ベルトの接合部が内層と外層を更に含み、堅固な取付要素及び堅固な保持要素は内層及び外層に接触している。堅固な取付要素及び堅固な保持要素は、一体的な部品を形成する。接合面は、接合面上に矩形配置で間隔を開けて配置される第２、第３及び第４の突起を更に含むことができる。例示的な一実施形態において、第１の突起はＴ字状の突起を含む。別の例示的な実施形態において、第１の突起が、接合面から外側方向に延びる第１の部分と、接合面と平行な方向に延びるとともに接合面から間隔を開けて配置された第２の部分と、を含む。例示的な一実施形態においては、ＰＡＰＲ部品が接合面から外側に延びる保持突起を更に含み、ベルトがユーザに固定されたときに、この保持突起がベルトの接合部の端部に接触してＰＡＰＲ部品のベルトに対する上方への移動を防止する。
【００１７】
本発明は、ベルトの長さに沿った長手方向軸と、接合面から外側に延びる第１の突起を有する接合面と、を有する送気型呼吸用部品と、送気型呼吸用部品を支持するために着用可能なベルトであり、堅固な取付要素及び堅固な保持要素を含む接合部を有したベルト、を備える呼吸用部品アセンブリを更に提供する。堅固な取付要素は、ベルトの一部に固定されるとともに、送気型呼吸用部品をベルトに着脱自在に固定するために第１の突起を受け入れるように構成され、堅固な保持要素は、ベルトの接合部の下側周辺端部に沿って配置されて、ベルトがユーザに固定されたときにベルトの長手方向軸回りにおける接合部のたわみを防止する。
【００１８】
本発明は、フィルタ、ファンを駆動するモータ、及びモータに電気的に接続された電池を有するとともに、接合面を有するＰＡＰＲ部品であって、接合面が前記接合面から外側に延びる第１の突起を含んでいる、ＰＡＰＲ部品と、ＰＡＰＲ部品を支持するために着用可能なベルトであり、ベルトの長さに沿った長手方向軸と堅固な取付要素及び堅固な保持要素を含む接合部とを有しているベルトとユーザが呼吸できる空気領域を規定する面体と、ＰＡＰＲ部品と面体との間の流体的な接続をもたらすホースと、を備える呼吸用部品アセンブリを更に提供する。堅固な取付要素は、ベルトの一部に固定されるとともにＰＡＰＲ部品をベルトに着脱自在に固定するために第１の突起を受け入れるように構成され、堅固な保持要素は、ベルトがユーザに固定されたときにベルトの長手方向軸回りにおける接合部のたわみを防止する。
【００１９】
本発明は、呼吸用部品を支持するために着用可能なベルトであり、第１の端部、第２の端部、第１及び第２の端部の間の接合部を含むベルトを更に提供する。接合部分は、内層、外層、内層及び外層に接触する第１の堅固な取付要素を含むとともに、ＰＡＰＲ部品の対応する形体と嵌合するように構成される。内層、外層及び第１の堅固な取付要素はそれぞれ開口を規定し、これらの開口は少なくとも部分的に位置合わせされて接合部を貫通して延びる第１の共通開口を形成する。例示的な一実施形態において、堅固な取付要素は、内層及び外層の一部の上に延びる一つ又は複数のフランジを含むとともに、ＰＡＰＲ部品がベルトに着脱自在に固定されたときに、ＰＡＰＲ部品の対応する形体に接触するように構成された露出表面を含む別の例示的な実施形態において、接合部は、下側周辺端部と、接合部の下側周辺端部に隣接する下側端部を内層と外層の間に有した堅固な保持要素とを含む。別の例示的な実施形態においては、堅固な取付要素と堅固な保持要素が一体的な部品を形成する。
【００２０】
上記の本発明の課題を解決するための手段は、本発明の開示されるそれぞれの実施形態、又は本発明のすべての実施を説明することを目的としたものではない。以下の図面及び詳細な説明は、例示的な実施形態をより具体的に例証する。
【図面の簡単な説明】
【００２１】
本発明は添付図面を参照して更に説明されるが、その際、同様の構造は、いくつかの図面を通して同様の数字によって参照される。
【図１】ユーザにより着用される例示的な呼吸用保護装置の説明図である。
【図２】本発明による、腰に取り付ける呼吸用部品システムの例示的な一実施形態の分解斜視図である。
【図３】本発明による、例示的なベルト４０の図２の破断線３−３に沿った斜視断面図である。
【図４ａ】本発明による、Ｔ字状の突起を有した例示的な呼吸部品の接合面の斜視図である。
【図４ｂ】本発明による、例示的なＴ字状突起の断面図である。
【図４ｃ】本発明による、例示的なＴ字状突起の断面図である。
【図４ｄ】本発明による、例示的なＴ字状突起の断面図である。
【図４ｅ】本発明による、呼吸用部品と中間位置にあるベルトとを有する例示的な呼吸システムの斜視図である。
【図４ｆ】本発明による、着脱自在にベルトに固定された呼吸用部品を有する例示的な呼吸システムの斜視図である。
【図５ａ】本発明による、角度付きＬ字状突起を有する例示的な呼吸用部品の接合部の斜視図である。
【図５ｂ】本発明による、中間位置にある呼吸用部品及びベルトを有した例示的な呼吸システムの斜視図である。
【図５ｃ】本発明による、着脱自在にベルトに固定される呼吸用部品を有した例示的な呼吸システムの斜視図である。
【図６ａ】本発明による、例示的な呼吸用部品の接合部の斜視図である。
【図６ｂ】本発明による、中間位置にある呼吸用部品及びベルトを有する例示的な呼吸システムの斜視図である。
【図６ｃ】本発明による、着脱自在にベルトに固定される呼吸用部品を有した例示的な呼吸システムの斜視図である。
【発明を実施するための形態】
【００２２】
図１は、ユーザによって着用される呼吸用保護システムを示している。この呼吸用保護システムは、呼吸用面体１０あるいはヘッドギヤ、及びＰＡＰＲ、エアーフィルタといった呼吸用部品１２、又は空気質モニタといった呼吸システムに用いることができるいくつかの他の部品装置を含んでいる。空気のホース又はチューブ１４は、呼吸用部品１２を呼吸用面体１０に接続して呼吸できる空気をユーザ１６に供給する。呼吸用面体１０あるいはヘッドギヤは、呼吸用マスク、フード、ヘルメット、堅固な被り物、又は濾過空気の入口を有すると共にユーザが呼吸できる空気の領域を規定する他の適切な部品とすることができる。呼吸用部品１２は、呼吸にとって危険な物を含む、望ましくない汚染物質を伴う雰囲気中でユーザが着用するように設計されている。図１に示す実施形態では、ＰＡＰＲ  １２が、ハウジング１２ａと、周囲環境からの望ましくない汚染物質を濾過する役目をする一つ若しくは複数のフィルタ１２ｂとを有しており、ＰＡＰＲを着用するユーザが汚染あるいは有害領域内で働くことができるようにしている。ＰＡＰＲ  １２はまた、ファン１２ｃ、ファンを駆動するモータ１２ｄ、及びモータに電気的に接続された電池１２ｅをハウジング１２ａ内に含むことができる。ＰＡＰＲの１つの例は「Ａｐｐａｒａｔｕｓ  ａｎｄ  Ｍｅｔｈｏｄ  ｆｏｒ  Ｂｒｅａｔｈｉｎｇ  Ａｐｐａｒａｔｕｓ  Ｃｏｍｐｏｎｅｎｔ  Ｃｏｕｐｌｉｎｇ」という名称の米国特許第６，５７５，１６５号に記載されている。
【００２３】
本発明は、呼吸用部品を支持するための除染可能なベルトを含む、腰に取り付ける呼吸用部品システムを提供する。ベルト４０は、汚染領域において、ハンズフリーで使用する様々な呼吸用部品と共に使用できる。ベルト２０及び呼吸用部品１２は、ベルトに対する呼吸用部品の迅速で確実な取付けを可能にし、一方ではベルト４０又は呼吸用部品１２の有効な及び効果的な汚染除去を妨げ得る隠れ面を最小化する、対応する嵌合機能をそれぞれ含んでいる。呼吸用部品１２は、ユーザ１６による持ち運びのためにベルト４０に対し着脱自在に固定されるとともに、ベルト４０の背後で荷重が支持されるように配置される。例示的な実施形態において、ベルト４０は、ユーザ１６の臀部の周りにベルトを支持するように構成される。ベルト４０は、呼吸用部品１２の堅い端部の圧力からユーザの背中を保護し、一方でユーザ１６上の所望の位置に呼吸用部品を支持するための剛性を維持する。呼吸用部品のハウジング１２ａ及びベルト４０は、呼吸用部品のハウジング１２ａ及びベルトを汚染領域内で使用した後に、将来の再利用のためにそれらを除染できるように、除染可能な材料から形成できる。
【００２４】
例示的な実施形態において、ベルト４０は、ベルトの接合部に隣接して配置されて、呼吸用部品１２の端部に保護をもたらす、バンパーウィング４２を含む。これらのバンパーウィングは、以下に更に記載するように、積層材料によって、ベルトに形成できるとともに、バンパーウィングが圧縮可能であってベルトがウェストサイズの範囲で快適で機能的なままであるように、中空あるいは充分に柔軟なものとすることができるこれらのバンパーウィングは、呼吸用部品をベルトから外れそうになし得る外部環境の要素に呼吸用部品の端部が引っ掛かることを防止すると共に、呼吸用部品を損傷から保護する。
【００２５】
図２は、本発明による腰に装着する呼吸用部品システム２４の例示的な一実施形態の分解斜視図である。腰に装着する呼吸用部品システム２４は、ベルト４０と、ＰＡＰＲ部品の形態の例示的な呼吸用部品１２と、を含んでいる。呼吸用部品１２は接合面３０を含んでおり、その接合面から一つ又は複数の突起３１が外側に延びている。ベルト４０は、一つ又は複数の堅固な取付要素５３と一つ又は複数の堅固な保持要素とを有した接合部を含んでいる。一つ又は複数の堅固な取付要素５３は、一つ又は複数の突起３１を受け入れるように構成されて、呼吸用部品１２をベルト４０に対し着脱自在に固定する。一つ又は複数の堅固な保持要素は、ベルトがユーザに固定されたときにベルトの長手方向軸回りにおける接合部のたわみを防止する。２０１２年２月１５日に出願された呼吸用腰ベルトという名称の米国特許出願第１３／３９６，８５８号は、ベルトの構造及び構成について言及しているが、この参照によって、本願明細書に援用されるものとする。
【００２６】
図２及び図３は、本発明のベルト４０の一実施形態を示している。図２はベルト４０の斜視図を与えており、一方で図３は図２の破断線３−３に沿ったベルト４０の断面斜視図である。一つ又は複数の呼吸用部品１２を支持するベルト４０は、ユーザの背中及び側部の周りに延びるメインベルト部分４５と、ユーザの前部を横切って延びるストラップ部分６０と、を含んでいる。メインベルト部分４５は、第１の端部４６と、第２の端部４７と、第１及び第２の端部の間の接合部５０と、を含んでいる。使用の際には、ベルト４０は呼吸用部品の重量をユーザの骨盤の周りに分配してユーザの自由な脚の動きを可能にする。
【００２７】
例示的なベルト４０のストラップ部分６０は、メインベルト部分４５の第１の端部４６に接続された左側部分６１と、メインベルト部分４５の第２の端部４７に接続された右側部分６２と、を含んでいる。各部分６１，６２の長さを調節可能とし、又は左右の部分６１，６２のうちの１つの長さの調節を可能として、様々なサイズのユーザを受け入れるようにストラップ部分６０を調整できる。左右の部分６１及び６２の自由端は、例えば着脱自在なバックル又は当該技術分野において周知の他の適切なバックルといったバックル６５により、互いに選択的に接続される。また、左右の部分６１及び６２を接続するための当該技術分野において周知の他の手段もまた使用できる。例示的な一実施形態において、ストラップ部分６０の左右の部分６１，６２の第１の端部６３，６４は、例えば縫合、溶着、接着剤、リベット又は従来技術において、周知の他の適切な手段によってメインベルト部分４５の第１及び第２の端部４６，４７に固定的に接続され、又は左右の部分６１，６２はメインベルト部分４５と一体に形成できる。あるいは、バックル部分の第１及び第２の端部６３，６４は、メインベルト部分４５の第１及び第２の端部４６、４７のそれぞれに、スロット、バックル、あるいは第１及び第２の端部６３，６４を第１及び第２の端部４６，４７に着脱自在に固定するために相互作用する、その分野で知られている他の機能により着脱可能に接続できる。
【００２８】
例示的な一実施形態において、メインベルト部分４５は、使用のためにベルトがユーザの腰のまわりに配置されたときにその溝がユーザの垂直軸と略平行となるように略垂直方向に方向付けられた溝４９を含む。これらの溝は、ユーザの腰のまわりに固定されたときにそのベルトが一致する曲線を維持するようなやり方でベルトを撓曲させるように構成されている。これらの溝はまた、空気が流れる経路を提供する。この気流はユーザに涼しさをもたらして、知覚されるベルトの快適さを更に高める。
【００２９】
メインベルト部分４５の接合部５０は、内層５１、外層５２、及び内層５１及び外層５２と接触する第１の堅固な取付要素５３ａを含んでいる。いくつかの実施形態において、第１の堅固な取付要素５３ａは、部分的にあるいは完全に内層５１と外層５２との間に配置できる。別の実施形態において、第１の堅固な取付要素は、内層５１及び外層５２の開口内に配置することができ、内層５１及び外層５２のうちの一つ又は両方の一部の上に延びる一つ又は複数のフランジ又はリップ５４ｃを含む。内層５１及び外層５２の一部は、堅固な取付要素５３ａのフランジ又はリップ５４ｃの間に挟持できる。
【００３０】
第１の堅固な取付要素は、呼吸用部品の対応する形体と嵌合するように構成される。内層５１、外層５２及び堅固な取付要素５３ａはそれぞれ開口を規定し、内層５１、外層５２及び堅固な取付要素５３ａの開口は少なくとも部分的に位置合わせされて接合部５０を貫通して延びる第１の共通開口５４を形成する。内層５１、外層５２及び堅固な取付要素５３ａの開口は、呼吸用部品１２をベルト４０に着脱自在に固定するために、呼吸用部品１２の接合面３０から外側に延びる一つ又は複数の突起３１を第１の共通開口５４が受け入れることができるように寸法決めされて構成される。
【００３１】
接合部５０の更なる実施形態が追加の開口又は追加の堅固な取付要素を含み得ることを、当業者は理解するであろう。図２の例示的な実施形態において、内層５１、外層５２及び第２の堅固な取付要素５３ｂはそれぞれ第２の開口を規定し、この第２の開口はメインベルト部分４５の接合部５０を貫通して延びる第２の共通開口５５を形成するために少なくとも部分的に位置合わせされる。あるいは、堅固な取付要素５３ａ，５３ｂがそれぞれ第２の開口を規定し、内層５１、外層５２の開口と第１及び第２の堅固な取付要素の第２の開口とが少なくとも部分的に位置合わせされて、接合部５０を貫通して延びる第３及び第４の共通開口５６，５７を形成するようにすることができる。別の例示的な実施形態において、堅固な取付要素５３ａ及び５３ｂは、内層５１及び外層５２に接触して配置される単一の一体部品とすることができき、１つ、２つ、３つ、４つあるいはより多くの開口をメインベルト部分４５の接合部５０に規定することができる。
【００３２】
メインベルト部分４５の接合部５０は、内層５１、外層５２及び内層５１及び外層５２に接触する堅固な取付要素５３を有する。内層５１は、クッション層であり、ユーザに快適なフィット感を与えるべく選択された材料から作製される内層５１は、エチル酢酸ビニル（ＥＶＡ）から作製できる。他の適切な材料には、他のＥＶＡフォーム、ゴム、ポリ塩化ビニル、ポリウレタン類及びこの技術で周知の他の適切な材料が含まれる。
【００３３】
内層５１は、さもなければ呼吸用部品の堅固な端部又はベルト４０の堅固な部分の結果として生じ得る圧力又は不快感からユーザを保護するように構成され、圧力が集中するいかなる領域もユーザの身体に影響を与えないように呼吸用部品の重量を均一に分配することが意図されている。内層５１は、呼吸用部品の突起のいかなる部分も内層５１の露出面を越えて共通開口５４を完全に貫通して延びない、十分に大きい厚みｔを有する。更に、内層５１によって規定される開口は、第１の堅固な取付要素５３ａによって、規定される開口より大きい。このようにして、堅固な取付要素５３は、更に以下に詳述するように、呼吸用部品の突起と相互に作用できる露出した周面５９を含む。緩衝された内層５１だけがユーザに接触し、呼吸用部品の堅固な突起がユーザに不快感を生じさせることが防止される。
【００３４】
例示的な一実施形態において、外層は、悪環境における反復使用に耐える十分な耐久性をベルト４０が有するように強さと剛性をベルト４０にもたらすべく選択された材料から作製される、耐摩耗性の層である。外層５２は、中密度ＥＶＡフォーム、ネオプレンゴム、ポリ塩化ビニル、ポリウレタン、ゴム、又は当該技術分野において既知の他の適切な材料から作製できる。例示的な一実施形態において、外層５２は、内層５１のそれより大きな密度を有する。
【００３５】
ベルトの一つ又は複数の層は革から作製することができ、リベット、縫合、接着剤、又は当該技術分野において既知の他の適切な手段によって、他の層に取り付けることができる。革の部品を有するベルトは、金属加工用途といった高レベルの耐久性が要求される用途に特に適したものとなり得る。そのようなベルトには、本明細書に記載する特徴及び利点の全体又は任意の組合せがある。
【００３６】
堅固な取付要素５３は、呼吸用部品の突起を確実で着脱可能な係合で堅固な取付要素５３に受け入れることができるように、十分に堅固な材料から作製される。例示的な一実施形態において、堅固な取付要素５３は高密度ポリエチレンから作製される。他の材料には、この技術において、当該技術分野において周知の他の適切なプラスチック又は金属材料を含めることができる。例示的な一実施形態において、堅固な取付要素は、当該技術分野において既知のように射出成形又は打ち抜きによって形成できるとともに、以下において、更に記載するように、引き続いて内層５１及び外層５２に接続される。あるいは、堅固な取付要素は、圧縮成形、トランスファー成形、又は当該技術分野において既知の他の好適な方法によって形成できる。
【００３７】
本発明による例示的なベルト４０の層は、複数のラミネート層を有する複合メインベルト部分を形成するために接続できる。内層５１、外層５２及び堅固な取付要素５３の主要面は積層されて、ベルトアセンブリのメインベルト部分を形成する。例示的な一実施形態において、これらの層はフレームラミネーションによって、接続できる。溶融物の薄い層が各主要面上に現れるまで、材料の各層は加熱される。それから２つの層が互いに押圧され、各層が冷えるにつれて互いに恒久的に融着する。別の例示的な実施形態において、内層及び外層はフレームラミネーションによって接続することができ、堅固な取付要素は、呼吸用部品をベルトアセンブリに固定し又は取り外すときの堅固な取付要素の分離を防止するために、接着剤あるいは他の適切な手段によって、内層及び外層のうちの一方又は両方に固定できる。堅固な取付要素は、接着剤、縫合、リベット、止め金、面ファスナ、コネクタ、溶着、積層、又は当該技術分野において既知の他の固定手段で固定できる。ベルトの一部に固定された堅固な取付要素は、呼吸用部品をベルトに固定する前にユーザが位置決めする必要はなく、呼吸用部品がベルトに固定されていないときにベルトから意図せずに取り除かれることがない。他の例示的な実施形態において、内層、外層及び堅固な取付要素は、適切な接着剤又は当該技術分野において既知の適切な手段の任意の組合せによって接続できる。例えば、接合部５０は、リベット、接着剤、縫合又は当該技術分野において既知の適切な手段の任意の組合せにより接続された革の層を含むことができる。
【００３８】
例示的な一実施形態において、内層５１、外層５２及び堅固な取付要素５３を形成するために使用する材料は、それらの層を確実に積層できるように選択される。内層５１又は外層５２の、堅固な取付要素５３からの分離はベルト４０の有効寿命の間に実質的に防止され、さもなければ層の分離の結果として生じ得る割れ目を洗浄することの困難さが実質的に防止される。例示的な実施形態において、ベルト４０は、より密度が低い内層５１及び外層５２に堅固な取付要素５３を接触させているにもかかわらず高度に除染可能である。
【００３９】
堅固な取付要素５３ａ、５３ｂは、呼吸用部品の接合面から外側に延びる一つ又は複数の突起３１と嵌合する。堅固な取付要素５３は、呼吸用部品をベルト４０に着脱自在に固定するために形付けられて構成される。図４ａは、その接合面３０から外側に延びるＴ字状の突起３１を有している呼吸用部品１２の接合面３０の斜視図であり、図４ｂは部分断面図である。図４ｂに示すように、突起３１は、接合面３０と実質的に直角をなす方向で外側に延びる第１の部分３１ａと、第１の部分３１ａから接合面と実質的に平行な方向に延びるとともに接合面３０から間隔を開けて配置された第２の部分３１ｂと、を含んでいる。第２の部分３１ｂは、堅固な取付要素と係合するフランジ又はリップを形成する。
【００４０】
例示的な一実施形態において、呼吸用部品の接合面は第２の突起を含み、第３及び第４の突起を更に含むことができる。４つの突起は、例えば図４ａに示すように矩形配置で接合面上に間隔を開けて配置される。これらの突起はまた、呼吸用部品がベルトアセンブリに着脱自在に固定できるように、ベルトの設計に対応する他の構成で配置できる。
【００４１】
図４ｅ及び図４ｆに示すように、ベルト４０の接合部５０は、大きな上側部分５４ａとスロットの形をした狭い下側部分５４ｂを有した、Ｔ字状の開口５４を含んでいる。大きな上側部分は突起３１の第２の部分３１ｂを受け入れるべく寸法決めされ、下側部分５４ｂは突起３１の第１の部分３１ａを受け入れるスロットの形である。したがって、突起３１は、図４ｅに示すように最初に開口５４の大きな上側部分５４ａに挿入することができ、引き続いて図４ｆに示す位置へとユーザの垂直軸に沿ってスライドする。突起３１の接触面３２は堅固な取付要素５３の露出した周面５９と係合し、呼吸用部品の接合面３０のベルトの接合部から離れる方向の移動を防止する。突起３１の第２の部分３１ｂの厚みｔは、ベルトがユーザに配置されたときに突起がユーザに不快感を生じさせないように、ベルトの内層５１の厚みｔより小さい。
【００４２】
図４ａに示す例示的な実施形態において、呼吸用部品の接合面３０は一つ又は複数の保持突起を更に含む。保持突起３５は、接合面３０から外側に延びる突起を含んでいる。保持突起３５は、接合部５０の端部、例えば下側の周辺端部５０ａに接触して、ベルトがユーザに固定されたときに、ベルトに対するＰＡＰＲ部品の上方への移動を防止し、ベルトがユーザに固定されたときに、ＰＡＰＲ部品のベルトからの意図しない分離を防止する。代りの実施形態において、保持突起３５は、同じ機能を達成するために、ベルトによって規定される開口の上側縁部又は端部と接触するように配置できる。
【００４３】
例示的な一実施形態において、ベルト４０の接合部５０は、内層５１と外層５２との間に堅固な保持要素５８を含む。この堅固な保持要素は、第１及び第２の対向する主要面を有し、ベルトがユーザに固定されたときにベルトの長手方向軸回りにおける接合部のたわみを防止する。下側周辺端部５０ａが保持突起３５に接触すると、堅固な保持要素５８は、ベルトが保持突起３５をこえてスライドせず、ベルトがユーザに固定されたときにＰＡＰＲ部品がベルトに対し上方にスライドしない充分な剛性をもたらす。図４ｆに示す例示的な実施形態においては、例えば、下側周辺端部５０ａが凹部又は空洞４８を含み、保持突起３５はその凹部又は空洞４８の近傍で下側周辺端部５０ａに接触する。ベルトがユーザの腰から取り外された後、ベルトを呼吸用部品１２に対し例えば図４ｅに示す位置へと下方に動かすことができるように下側周辺端部は手動で保持突起３５の上に持ち上げることができ、堅固な取付要素によって、規定される開口５４のより大きな上部５４ａを突起３１が通過できるようにすることにより、呼吸用部品はベルトから分離できる。保持突起３５より上方により容易に持ち上げることができるようにベルトの端部の把握を容易にするために、窪み又は凹み３６が呼吸用部品１２の接合面３０に設けられている。
【００４４】
堅固な保持要素５８及び一つ又は複数の堅固な取付要素５３は、単一片に形成することができ、一体的な部品を形成できる。例示的な一実施形態において、堅固な取付要素及び堅固な保持要素の特徴及び利点は、内層５１及び外層５２に接触する単一部品により得られる。
【００４５】
図４ｃ及び図４ｄは、Ｔ字状の突起の代りの例示的な実施形態の断面を示している。図４ｃに示すＴ字状の突起３１は、接合面３０に対し実質的に直角な方向で外側に延びる第１及び第２の部分３１Ｌ、３１Ｒと、接合面と実質的に平行な方向に、接合面３０と間隔を開けて第１及び第２の部分３１Ｌ、３１Ｒから延びる第３の部分３１ｂと、を含んでいる。第１及び第２の部分３１Ｌ、３１Ｒの存在は、突起３１の強さ及び剛性を増加させることができ、あるいは突起３１の製造を容易にすることができる。図４ｄに示すＴ字状突起３１は、接合面３０に対し角度の付いた方向に外側に延びる第１及び第２の部分３１Ｌ、３１Ｒと、接合面と実質的に平行な方向に接合面３０から間隔を開けて第１及び第２の部分３１Ｌ、３１Ｒから延びる第３の部分３１ｂと、を含んでいる。Ｔ字状の突起は、突起３１の性能を高め、あるいは突起３１の製造を容易にする、これらの及び他の変更を含む。
【００４６】
図５ａ〜図５ｃに示す例示的な実施形態において、堅固な取付要素５３はユーザの垂直軸に対して角度の付いたスロット５４の形をした開口を規定し、垂直軸に対し同じように角度の付いたＬ字状の突起３１を受け入れる。図５ａは、接合面３０から外側に延びる角度付きＬ字状突起３１を有する呼吸用部品１２の接合面３０の斜視図である。突起３１は、接合面と実質的に直角をなす方向で外側に延びる第１の部分３１ａと、接合面３０と実質的に平行な方向で接合面３０から間隔を開けて第１の部分３１ａから延びる第２の部分３１ｂと、を含んでいる。第２の部分３１ｂは、堅固な取付要素と係合するフランジ又はリップを形成している。図５ｂに示すように、ベルト４０の接合部５０は、角度付きスロットの形をした開口５４を含んでいる。スロット及び突起は垂直軸に対し実質的に同様に角度が付けられており、スロット５４の長さは突起３１の長さより大きい。
【００４７】
使用の際に、突起３１は、図５ｂに示すように最初にスロットの上部において、スロット５４に挿入することができ、引き続いて図５ｃに示す位置へとユーザの垂直軸に沿って下方にスライドする。呼吸用部品が下方にスライドすると、突起３１の第２の部分３１ｂは堅固な取付要素５３の周辺表面５９に接触する。この接触は、図５ｃに示すように呼吸用部品１２がベルト４０の接合部５０に着脱自在に固定されたときに、ベルト４０の接合部５０に対する呼吸用部品１２の移動を防止する。
【００４８】
図５ａ〜図５ｃに示す例示的な実施形態において、呼吸用部品の接合面３０は一つ又は複数の保持突起を更に含む。保持突起３５は、接合面３０から外側に延びる突起を含んでいる。保持突起３５は、接合部５０の、例えば下側周辺端部５０ａの端部に接触して、ベルトがユーザに固定されたときに、ベルトに対するＰＡＰＲ部品の上方への移動を防止し、ＰＡＰＲ部品のベルトからの意図しない分離を防止する。
【００４９】
接合部５０は、内層５１と外層５２の間に堅固な保持要素５８を含んでいる。この堅固な保持要素は、第１及び第２の対向する主要面を有しており、ベルトがユーザに固定されたときにベルトの長手方向軸回りにおける接合部のたわみを防止する。下側周辺端部５０ａが保持突起３５に接触すると、堅固な保持要素は、ベルトがユーザに固定されたときに、ベルトが保持突起３５を越えてスライドしないような、ＰＡＰＲ部品がベルトに対し上方にスライドしないような、充分な剛性をもたらす。ベルトがユーザの腰から取り外された後、呼吸用部品１２に対してベルトを下方に動かすことができるように、下側周辺端部は保持突起３５の上に手動で持ち上げることができる。突起３１が周辺表面と係合せず、呼吸用部品をベルト４０から分離すべく突起がスロット５４を通過できるように、図５ｂに示す位置へと突起３１をスロット５４の上部に動かせるようにすることにより、呼吸用部品をベルトから分離できる。
【００５０】
堅固な保持要素５８及び一つ又は複数の堅固な取付要素は、単一片に形成することができ、一体部品を形成できる。例示的な一実施形態において、堅固な取付要素５３及び堅固な保持要素５８の特徴及び利点は、内層５１及び外層５２に接触する単一の部品により得られる。
【００５１】
図６ａ〜図６ｃに示す例示的な一実施形態において、堅固な取付要素は突起３１を受け入れる開口５４を規定する。図６ａは、その接合面３０から外側に延びる突起３１を有する呼吸用部品１２の接合面３０の斜視図である。突起３１は、接合面から外側に延びるとともにユーザの垂直軸に対して角度が付けられた第１の部分３１ａと、接合部から外側に延びるとともにユーザの垂直軸に対し実質的に垂直な方向に第１の部分３１ａから延びる第２の部分３１ｂと、を含んでいる。第１の部分３１ａは、第１の部分３１ａが楔形の断面を有するように角度付き表面３１ｃを有している。第２の部分３１ｂは角度付き端面３１ｄを有している。図６ｂに示すように、ベルト４０の接合部５０は、堅固な取付要素５３によって規定される開口５４を含んでいる。堅固な取付要素は、段差５４ｂを具備する自由端を有するカンチレバー５４ａを含んでいる。カンチレバー５４ａは、例えば図６ｃに示すように、段差のある端部５４ｂと堅固な取付要素５３の角度付き周辺端部５９との間に突起３１を受け入れるべく、撓曲できる。
【００５２】
使用の際には、図６ｂに示すように、突起３１は最初にスロット５４の上側部分を通って挿入することができ、引き続いて図６ｃに示す位置へとユーザの垂直軸に沿って下方にスライドする。呼吸用部品１２が下方にスライドするにつれて、堅固な取付要素のカンチレバー５４ａと角度付き周辺端部５９との間に突起３１を受け入れるべくカンチレバー５４ａは湾曲する。角度付き周辺端部５９は角度付き表面３１ｃに接触して、ベルト４０の接合部５０からの呼吸用部品１２の分離を防止する。カンチレバー５４ａの段差がある端部５４ｂと突起３１の第２の部分３１ｂとの相互作用より、及び角度付き周辺端部５９と角度付き表面３１ｃとの相互作用により、水平又は垂直方向の移動が防止される。具体的には、段差が突起３１の第２の部分３１ｂに接触して、ベルトがユーザに固定されたときに、ベルト４０の接合部５０に対する呼吸用部品の上方への移動を防止する。図６ｃに示すように、呼吸用部品１２がベルト４０の接合部５０に着脱自在に固定されたときの、ベルトの接合部５０に対する呼吸用部品１２の移動を、摩擦接触が防止する。
【００５３】
本願明細書に記載された特徴のいくつかあるいは全てを有するベルト及び呼吸用部品は、高度に除染可能なままでありながら高度に確実な係合をもたらすベルト及び呼吸用部品の特徴的な組み合わせを含む、いくつかの望ましい特徴を呈する。呼吸用部品の接合面から外側に延びる突起が存在すること及びスロット又は不必要な割れ目が存在しないことが呼吸用部品の汚染除去性を高め、結果として容易に洗浄可能な装置となる。同様に、内層と外層に接触して配置された堅固な取付要素を有した積層構造を含むベルトが、スロットあるいは到達が難しい間隙の必要性をなくし、結果として高度に除染可能で容易に洗浄可能なベルトになる。本発明において、説明したようなベルトと呼吸用部品の設計及び構成は、洗浄が困難な領域を生じさせる可動部品の必要性を実質的になくす。本発明によるベルト及び呼吸用部品は、手動により又は当該技術分野において既知の他の適切な手段により、効率的に、効果的に洗浄できる。
【００５４】
本発明によるベルトは、呼吸用部品がベルトアセンブリから意図せずに分離しそうになることを防止しつつ、呼吸用部品をベルトアセンブリに迅速に且つ容易に固定できるようにする。堅固な取付要素の存在は、対応する突起を有する呼吸用部品をベルトアセンブリに容易に固定できるようにし、堅固な保持要素の存在は、呼吸用部品の接合面上の保持突起と共に、呼吸用部品がベルトアセンブリから分離しそうになることを防止する。
【００５５】
これで、本発明について、そのいくつかの実施形態に関連して説明してきた。上記の詳細な説明及び実施例はあくまで理解を助ける明確さのために示したものである。詳細な説明及び実施形態から無用の限定はないと理解すべきである。本発明の範囲から逸脱することなく、記載された実施形態において多くの変更を行うことができることが、当業者には明白であろう。したがって、本発明の範囲は、本明細書に記載された厳密な詳細及び構造に限定されるべきではなく、それよりもむしろ、特許請求の範囲の文言によって説明される構造、及びそれらの構造の等価物によって限定される。
【図１】
2015511153.tif 000003
【図２】
2015511153.tif 000004
【図３】
2015511153.tif 000005
【図４ａ】
2015511153.tif 000006
【図４ｂ】
2015511153.tif 000007
【図４ｃ】
2015511153.tif 000008
【図４ｄ】
2015511153.tif 000009
【図４ｅ】
2015511153.tif 000010
【図４ｆ】
2015511153.tif 000011
【図５ａ】
2015511153.tif 000012
【図５ｂ】
2015511153.tif 000013
【図５ｃ】
2015511153.tif 000014
【図６ａ】
2015511153.tif 000015
【図６ｂ】
2015511153.tif 000016
【図６ｃ】
2015511153.tif 000017
【国際調査報告】
2015511153.tif 000018
2015511153.tif 000019
2015511153.tif 000020